(57)【要約】      （修正有）【課題】テーブルに新たな用途を付加することができると共に、オリジナル性に富む多目的テーブルを提供する。【解決手段】上方開口状の箱型に形成されるテーブル本体１０と、該テーブル本体１０を支持する脚部２０とを少なくとも備え、テーブル本体１０が、植物の栽培観察空間、物品の設置空間、生物の飼育観察空間となる多目的テーブル１であって、テーブル本体１０が、透明若しくは半透明の板状部材で構成される。【選択図】図１
0003208295.tif 000002
【実用新案登録請求の範囲】
【請求項１】
上方開口状の箱型に形成されるテーブル本体と、該テーブル本体を支持する脚部とを少なくとも備え、前記テーブル本体が、植物の栽培観察空間、物品の設置空間、生物の飼育観察空間となる多目的テーブルであって、前記テーブル本体が、透明若しくは半透明の板状部材で構成されることを特徴とする多目的テーブル。
【請求項２】
テーブル本体は、略矩形状の底板と、該底板の周囲に沿って立設される側板とから構成されると共に、前記側板は、前記底板の上下両方向に起立した状態で前記底板に固定されており、脚部は、細長い直方体状部材で構成されると共に、前記直方体状部材の上面が、前記底板の下面に当接し、且つ前記直方体状部材の隣接する一対の側面が、隣接する側板の一対の内面にそれぞれ当接した状態で、前記脚部が前記側板に固定されていることを特徴とする請求項１に記載の多目的テーブル。
【請求項３】
底板は、一乃至複数の水抜き用貫通孔と、一乃至複数の水抜き用切欠き部との少なくとも何れか一方を備えると共に、テーブル本体に、植物を植栽してなる植物構成体を収容してあることを特徴とする請求項１又は２に記載の多目的テーブル。
【請求項４】
植物構成体は、ヤシの繊維からなるヤシガラマットと、該ヤシガラマットに植栽された植物とで少なくとも構成されることを特徴とする請求項３に記載の多目的テーブル。
【請求項５】
底板は、顔や手を挿入可能な挿入用貫通孔を備えると共に、前記挿入用貫通孔の外周から垂直に起立する起立板を備えることを特徴とする請求項１〜４の何れか１項に記載の多目的テーブル。
【請求項６】
テーブル本体は、矩形状の底板と、該底板の周囲に沿って立設される側板とから構成されると共に、少なくとも対向する一対の前記側板の上側端部に、外方に延出する延出部をそれぞれ備え、脚部は、枠状の台座フレーム部と、該台座フレーム部から下方に垂下する支持脚部とから構成され、前記台座フレーム部は、前記底板の外形よりも大きい開口部を備えると共に、前記延出部は、一方の延出部の端部から他方の延出部の端部までの長さが、前記台座フレーム部の外径よりも長いことを特徴とする多目的テーブル。
【請求項７】
テーブル本体に、植物と、顆粒状の粘土焼成物からなる人工土とを少なくとも収容してあることを特徴とする請求項６に記載の多目的テーブル。
【請求項８】
テーブル本体を構成する板状部材は、アクリルキャスト板であることを特徴とする請求項１〜７の何れか１項に記載の多目的テーブル。
【請求項９】
脚部は、透明若しくは半透明のアクリルキャスト板で構成されることを特徴とする請求項１〜８の何れか１項に記載の多目的テーブル。
【請求項１０】
透明若しくは半透明のガラス製の天板を着脱自在に備えることを特徴とする請求項１〜９の何れか１項に記載の多目的テーブル。
【考案の詳細な説明】
【技術分野】
【０００１】
本考案は多目的テーブルに関する。
【背景技術】
【０００２】
従来、テーブルとしては、天板と脚部とを備え、天板に各種物品を載置させて利用するものが一般的であった。
このようなテーブルを示す従来技術として、下記特許文献１がある。
【先行技術文献】
【特許文献】
【０００３】
【特許文献１】実用新案登録第３１１６７４６号公報
【考案の概要】
【考案が解決しようとする課題】
【０００４】
上記特許文献１は、テーブルセットに関する考案で、異なる近似したデザインの天板を有するテーブルの配置の仕方を変動させることで、視覚的効果のみならず機能的効果を奏することができるメリットがある。
しかしながら、あくまで天板上に物品を載置させて利用することを目的とするものであり、依然としてオリジナル性に欠けるという問題があった。
また特許文献１に示すような従来のテーブルにおいては、例えば天板に体が触れた際に、載置させてある物品が天板から落ちるという危険性があった。特に植木鉢を天板に載置させる場合においては、植木鉢が天板から落ちた場合に、負傷の危険性や土が床に落ちる等して掃除が面倒であるという問題があった。
【０００５】
そこで本考案は上記従来技術の問題を解消し、テーブルに新たな用途を付加することができると共に、オリジナル性に富む多目的テーブルの提供を課題とする。
【課題を解決するための手段】
【０００６】
本考案の多目的テーブルは、上方開口状の箱型に形成されるテーブル本体と、該テーブル本体を支持する脚部とを少なくとも備え、前記テーブル本体が、植物の栽培観察空間、物品の設置空間、生物の飼育観察空間となる多目的テーブルであって、前記テーブル本体が、透明若しくは半透明の板状部材で構成されることを第１の特徴としている。
【０００７】
また本考案の多目的テーブルは、上記第１の特徴に加えて、テーブル本体は、略矩形状の底板と、該底板の周囲に沿って立設される側板とから構成されると共に、前記側板は、前記底板の上下両方向に起立した状態で前記底板に固定されており、脚部は、細長い直方体状部材で構成されると共に、前記直方体状部材の上面が、前記底板の下面に当接し、且つ前記直方体状部材の隣接する一対の側面が、隣接する側板の一対の内面にそれぞれ当接した状態で、前記脚部が前記側板に固定されていることを第２の特徴としている。
【０００８】
また本考案の多目的テーブルは、上記第１又は第２の特徴に加えて、底板は、一乃至複数の水抜き用貫通孔と、一乃至複数の水抜き用切欠き部との少なくとも何れか一方を備えると共に、テーブル本体に、植物を植栽してなる植物構成体を収容してあることを第３の特徴としている。
【０００９】
また本考案の多目的テーブルは、上記第３の特徴に加えて、植物構成体は、ヤシの繊維からなるヤシガラマットと、該ヤシガラマットに植栽された植物とで少なくとも構成されることを第４の特徴としている。
【００１０】
また本考案の多目的テーブルは、上記第１〜第４の何れか１つの特徴に加えて、底板は、顔や手を挿入可能な挿入用貫通孔を備えると共に、前記挿入用貫通孔の外周から垂直に起立する起立板を備えることを第５の特徴としている。
【００１１】
また本考案の多目的テーブルは、テーブル本体は、矩形状の底板と、該底板の周囲に沿って立設される側板とから構成されると共に、少なくとも対向する一対の前記側板の上側端部に、外方に延出する延出部をそれぞれ備え、脚部は、枠状の台座フレーム部と、該台座フレーム部から下方に垂下する支持脚部とから構成され、前記台座フレーム部は、前記底板の外形よりも大きい開口部を備えると共に、前記延出部は、一方の延出部の端部から他方の延出部の端部までの長さが、前記台座フレーム部の外径よりも長いことを第６の特徴としている。
【００１２】
また本考案の多目的テーブルは、上記第６の特徴に加えて、テーブル本体に、植物と、顆粒状の粘土焼成物からなる人工土とを少なくとも収容してあることを第７の特徴としている。
【００１３】
また本考案の多目的テーブルは、上記第１〜第７の何れか１つの特徴に加えて、テーブル本体を構成する板状部材は、アクリルキャスト板であることを第８の特徴としている。
【００１４】
また本考案の多目的テーブルは、上記第１〜第８の何れか１つの特徴に加えて、脚部は、透明若しくは半透明のアクリルキャスト板で構成されることを第９の特徴としている。
【００１５】
また本考案の多目的テーブルは、上記第１〜第９の何れか１つの特徴に加えて、透明若しくは半透明のガラス製の天板を着脱自在に備えることを第１０の特徴としている。
【考案の効果】
【００１６】
請求項１に記載の多目的テーブルによれば、上方開口状の箱型に形成されるテーブル本体と、該テーブル本体を支持する脚部とを少なくとも備え、前記テーブル本体が、植物の栽培観察空間、物品の設置空間、生物の飼育観察空間となる多目的テーブルであって、前記テーブル本体が、透明若しくは半透明の板状部材で構成されることから、テーブル本体に収容物を収容可能な多目的テーブルとすることができる。よってテーブルに新たな用途を付加することができる。またテーブル本体に収容した収容物を、どの角度からでも視認することができ、オリジナル性に富んだ多目的テーブルとすることができる。更にテーブル本体に収容した収容物が、テーブル本体から落下することを効果的に防止することができ、安全、安心なテーブルを提供することができる。
【００１７】
また請求項２に記載の多目的テーブルによれば、上記請求項１に記載の構成による作用効果に加えて、テーブル本体は、略矩形状の底板と、該底板の周囲に沿って立設される側板とから構成されると共に、前記側板は、前記底板の上下両方向に起立した状態で前記底板に固定されており、脚部は、細長い直方体状部材で構成されると共に、前記直方体状部材の上面が、前記底板の下面に当接し、且つ前記直方体状部材の隣接する一対の側面が、隣接する側板の一対の内面にそれぞれ当接した状態で、前記脚部が前記側板に固定されていることから、脚部の位置決めが容易であると共に、安定性のある多目的テーブルとすることができる。また底板の下方向に起立した側板を把持部として利用することができ、持ち運びが容易な多目的テーブルとすることができる。
【００１８】
また請求項３に記載の多目的テーブルによれば、上記請求項１又は２に記載の構成よる作用効果に加えて、底板は、一乃至複数の水抜き用貫通孔と、一乃至複数の水抜き用切欠き部との少なくとも何れか一方を備えると共に、テーブル本体に、植物を植栽してなる植物構成体を収容してあることから、植物の栽培観察用テーブルとして、またインテリア用テーブルとして、多目的テーブルを利用することができる。更にテーブル本体に余分な水が溜まることを効果的に防止することができ、衛生的な多目的テーブルとすることができる。
【００１９】
また請求項４に記載の多目的テーブルによれば、上記請求項３に記載の構成による作用効果に加えて、植物構成体は、ヤシの繊維からなるヤシガラマットと、該ヤシガラマットに植栽された植物とで少なくとも構成されることから、通気性、排水性に富んだヤシガラマットを使用することで、植物の栽培管理が容易で一段と衛生的な多目的テーブルとすることができる。
【００２０】
また請求項５に記載の多目的テーブルによれば、上記請求項１〜４の何れか１項に記載の構成による作用効果に加えて、底板は、顔や手を挿入可能な挿入用貫通孔を備えると共に、前記挿入用貫通孔の外周から垂直に起立する起立板を備えることから、多目的テーブルの利用者が底板に顔や手を挿入することが可能となり、一段と好奇心をくすぶることが可能な多目的テーブルとすることができる。
【００２１】
また請求項６に記載の多目的テーブルによれば、テーブル本体は、矩形状の底板と、該底板の周囲に沿って立設される側板とから構成されると共に、少なくとも対向する一対の前記側板の上側端部に、外方に延出する延出部をそれぞれ備え、脚部は、枠状の台座フレーム部と、該台座フレーム部から下方に垂下する支持脚部とから構成され、前記台座フレーム部は、前記底板の外形よりも大きい開口部を備えると共に、前記延出部は、一方の延出部の端部から他方の延出部の端部までの長さが、前記台座フレーム部の外径よりも長いことから、台座フレーム部の開口部内にテーブル本体を収容した状態で、延出部を台座フレーム部に載置させることができる。よってテーブル本体と脚部とを着脱自在な構成とすることができる。
【００２２】
また請求項７に記載の多目的テーブルによれば、請求項６に記載の構成による作用効果に加えて、テーブル本体に、植物と、顆粒状の粘土焼成物からなる人工土とを少なくとも収容してあることから、植物の栽培用、観察用のテーブルとして多目的テーブルを利用することができる。また顆粒状の粘土焼成物からなる人工土を用いることで、人工土に水分を吸収、保水させ、植物の根が必要とする水量だけを人工土から供給することができる。よってテーブル本体に水抜き用貫通孔や水抜き用切欠き部を設けない構成であっても、テーブル本体に余分な水が溜まることを効果的に防止することができる。よって植物の栽培管理が容易で衛生的な多目的テーブルとすることができる。
【００２３】
また請求項８に記載の多目的テーブルによれば、請求項１〜７の何れか１項に記載の構成による作用効果に加えて、テーブル本体を構成する板状部材は、アクリルキャスト板であることから、耐衝撃性、耐候性に優れたテーブル本体とすることができる。
【００２４】
また請求項９に記載の多目的テーブルによれば、請求項１〜８の何れか１項に記載の構成による作用効果に加えて、脚部は、透明若しくは半透明のアクリルキャスト板で構成されることから、一段とオリジナル性に富んだ多目的テーブルとすることができる。
【００２５】
また請求項１０に記載の多目的テーブルによれば、請求項１〜９の何れか１項に記載の構成による作用効果に加えて、透明若しくは半透明のガラス製の天板を着脱自在に備えることから、天板上に物を載置させたり、天板上で書き物をしたりと、通常のテーブルとして多目的テーブルを利用することができる。また透明若しくは半透明のガラス製の天板とすることで、天板を設置した状態でも、テーブル本体に収容した収容物を視認することができる。よって機能性と美感性を備えた多目的テーブルとすることができる。
【図面の簡単な説明】
【００２６】
【図１】本考案の第１の実施形態に係る多目的テーブルの斜視図である。
【図２】本考案の第１の実施形態に係る多目的テーブルの分解斜視図である。
【図３】本考案の第１の実施形態に係る多目的テーブルにおける、テーブル本体と脚部の分解斜視図である。
【図４】本考案の第１の実施形態に係る多目的テーブルを組み立てる際の流れを示す図である。
【図５】本考案の第１の実施形態に係る多目的テーブルを組み立てる際の流れを示す図である。
【図６】本考案の第１の実施形態に係る多目的テーブルの脚部の要部を示す図である。
【図７】本考案の第１の実施形態に係る多目的テーブルに、植物構成体を収容した状態の要部の拡大図である。
【図８】本考案の第１の実施形態に係る多目的テーブルの変形例を示す図である。
【図９】本考案の第１の実施形態に係る多目的テーブルの変形例を示す図である。
【図１０】本考案の第２の実施形態に係る多目的テーブルの斜視図である。
【図１１】本考案の第２の実施形態に係る多目的テーブルの分解斜視図である。
【考案を実施するための形態】
【００２７】
以下の図面を参照して、本考案の多目的テーブルを説明し、本考案の理解に供する。しかし、以下の説明は本考案の実用新案登録請求の範囲に記載の考案を限定するものではない。
【００２８】
まず図１〜図９を参照して、本考案の第１の実施形態に係る多目的テーブル１を説明する。
なお、図１〜図９においては、説明の便宜上、後述する透明のアクリルキャスト板を通して透けて見える線を実線で示すものである。また説明の便宜上、実際に肉眼で見える線を必要に応じて省略して示すものとする。
【００２９】
本考案の第１の実施形態に係る多目的テーブル１は、図１、図２に示すように、主として植物の栽培観察用テーブルとして、またインテリア用テーブルとして利用することが可能なテーブルで、箱型のテーブル本体１０と、脚部２０と、固定具３０と、植物構成体４０とで構成される。
【００３０】
前記テーブル本体１０は、多目的テーブルの基本的な骨格部分を構成するものである。本実施形態においては、図１、図２に示すように、テーブル本体１０を、板状部材で形成される開口状の箱型とする構成としてある。
このテーブル本体１０は、図２〜図４に示すように、略矩形状の底板１１と、底板１１の周囲に沿って立設される４枚の側板１２とで構成される。
【００３１】
前記底板１１は、テーブル本体１０の基台となるもので、本実施形態においては、底板１１として、略矩形状の透明のアクリルキャスト板を１枚用いる構成としてある。
【００３２】
また本実施形態においては、底板１１に、５個の円形の水抜き用貫通孔１１ａと、１０個の矩形状の水抜き用切欠き部１１ｂとを設ける構成としてある。
前記水抜き用貫通孔１１ａは、底板１１を厚み方向に貫通させた孔である。また前記水抜き用切欠き部１１ｂは、底板１１の周縁の所定位置を内方へコの字状に切り欠いた切り欠き部である。
なお本実施形態においては、図３に簡略化して示すように、５個の水抜き用貫通孔１１ａを同一形状、同一大きさとする構成としてある。また１０個の水抜き用切欠き部１１ｂを同一形状、同一大きさとする構成としてある。この水抜き用貫通孔１１ａと水抜き用切欠き部１１ｂとは、アクリルキャスト板に打ち抜き加工等を施すことで形成することができる。
また水抜き用貫通孔１１ａの直径は、２０ｍｍ程度とすることが望ましい。
また水抜き用切欠き部１１ｂは、縦が２０ｍｍ程度、横が５０ｍｍ程度の矩形状とすることが望ましい。
【００３３】
本実施形態においては、図２〜図４に簡略化して示すように、底板１１の一対の短辺側の側面にそれぞれ３つのねじ孔１１ｃを設ける構成としてある。また底板１１の一対の長辺側の側面にそれぞれ４つのねじ孔１１ｃを設ける構成としてある。このネジ孔１１ｃは、皿ねじで構成される固定具３０をねじ込むための孔である。
なお、ねじ孔１１ｃの直径は、８ｍｍ程度とすることが望ましい。
【００３４】
なお底板１１の長辺及び短辺の長さは、６１０ｍｍ〜７５０ｍｍ程度とすることが望ましい。
また底板１１の厚みは、８ｍｍ程度とすることが望ましい。
【００３５】
前記側板１２は、テーブル本体１０の側壁を構成するものである。本実施形態においては、側板１２として、矩形状の透明のアクリルキャスト板を４枚用いる構成としてある。
また本実施形態においては、図２〜図４に示すように、側板１２には、底板１１のねじ孔１１ｃと、後述する脚部２０のねじ孔２３とに対応する位置に、固定具３０を通すための円形の貫通孔１２ｂを複数個設けてある。
そして図４に示すように、固定具３０を介して、底板１１の上下両方向に起立した状態で、底板１１に側板１２を固定させてある。
より具体的には、底板１１の鉛直方向における略中央部に、側板１２を固定させる構成としてある。
【００３６】
なお本実施形態においては、複数個の貫通孔１２ｂを同一形状、同一大きさとする構成としてある。なお詳しくは図示していないが、貫通孔１２ｂは、固定具３０たる皿ねじをねじ込んだ際に、ねじの頭が側板１２に埋もれて面一となる大きさに形成してある。
【００３７】
また貫通孔１２ｂの直径は、１２ｍｍ程度とすることが望ましい。
また側板１２の長手方向の長さは６２０ｍｍ程度、短手方向の長さ（高さ）は２００ｍｍ程度とすることが望ましい。
更に側板１２の厚みは、８ｍｍ程度とすることが望ましい。
【００３８】
前記脚部２０は、テーブル本体１０を支持する支持脚である。本実施形態においては、図１〜図３に示すように、細長い直方体状部材で脚部２０を形成する構成としてある。
即ち、複数枚の透明のアクリルキャスト板を、接着剤を介して細長い直方体状に接着Ｗさせてなる直方体状部材で脚部２０を形成する構成としてある。
具体的には、図６（ａ）に簡略化して示すように、接着剤（図示しない）を用いて４枚の側板Ｓを貼り付けて接着Ｗして筒状部材を形成し、その後、図６（ｂ）に一部を示すように、筒状部材の上下の開口部を塞ぐように、接着剤を介して矩形状の上板Ｕと、矩形状の下板（図示しない）とを貼り付けて接着Ｗすることで、細長い直方体状部材で構成される脚部２０を形成する構成としてある。
また本実施形態においては、同一形状、同一大きさの脚部２０を４本備える構成としてある。
【００３９】
また本実施形態においては、図３に簡略化して示すように、脚部２０の隣接する一対の側面２２の所定位置に（側板１２に設けた貫通孔１２ｂに対応する位置に）、ねじ孔２３をそれぞれ一対設ける構成としてある。
なお図２に簡略化して示すように、脚部２０の上面２１がテーブル本体１０の底板１１の下面１１ｄに当接し、且つ脚部２０の隣接する一対の側面２２が、隣接するテーブル本体１０の側板１２の一対の内面１２ａにそれぞれ当接した状態となるように、固定具３０を介して脚部２０を側板１２に固定する構成としてある。
【００４０】
なお詳しくは図示していないが、本実施形態においては、底板１１と側板１２との間と、隣接する側板１２の間に透明のコーキング材を施す構成としてある。
また図６に一部を示すように、本実施形態においては、隣接する側板１２と、隣接する側板Ｓとを、それぞれ接着Ｗする辺を除き、各辺に面取り加工を施す構成としてある。
【００４１】
なお、側板Ｓの長手方向の長さは、６３０ｍｍ程度、短手方向の長さは、６５ｍｍ程度とすることが望ましい。
また上板Ｕと下板とは、一辺が７０ｍｍ程度の正方形とすることが望ましい。
なお、側板Ｓと上板Ｕ、下板の厚みは、それぞれ５ｍｍ程度とすることが望ましい。
【００４２】
前記固定具３０は、テーブル本体１０の側板１２を底板１１に固定する際や、脚部２０を前記側板１２に固定する際に使用する固定具である。本実施形態においては、固定具３０として、皿ねじを用いる構成としてある。
勿論、固定具３０は皿ねじに限るものではなく、他の固定具を用いる構成としてもよい。
【００４３】
前記植物構成体４０は、テーブル本体１０の内部に収容する収容物である。
本実施形態においては、この植物構成体４０は、ヤシガラマット４１と、植物４２と、土４３とで構成される。
【００４４】
前記ヤシガラマット４１は、植物構成体４０の基台となるもので、ヤシの繊維４１ａをマット状に形成したものである。
【００４５】
前記植物４２は、ヤシガラマット４１に植栽されるものである。本実施形態においては、植物４２として野芝を用いる構成としてある。
【００４６】
前記土４３は、ヤシガラマット４１に対する植物４２の活着を向上させることを主たる目的として、ヤシガラマット４１の空隙部に充填されるものである。なお、土としては、鹿沼土、赤玉土等、野芝の生育に適するものであれば、如何なるもの用いてもよい。但し、鹿沼土、赤玉土等、いわゆる園芸用の土を用いることが望ましい。
【００４７】
次に図２、図４〜図６を参照して、本実施形態に係る多目的テーブル１の形成方法を説明する。
【００４８】
まず図４（ａ）を参照して、底板１１の一対の短辺に対応する一対の側板１２を準備する。そして固定具３０を介して、底板１１に一対の側板１２を固定する。
【００４９】
次に図４（ｂ）を参照して、底板１１の一対の長辺に対応する一対の側板１２を準備する。そして固定具３０を介して、底板１１に一対の側板１２を固定する。
これによって、テーブル本体１０が形成される。
【００５０】
次に図５、図６を参照して、脚部２０を準備し、固定具３０を介して、側板１２に脚部２０を固定する。
より具体的には、直法体状部材で構成される脚部２０の上面２１が、テーブル本体１０の底板１１の下面１１ｄに当接し、且つ脚部２０の隣接する一対の側面２２が、隣接するテーブル本体１０の側板１２の一対の内面１２ａに、それぞれ当接した状態となる位置に脚部２０を配置し、固定具３０で固定する。
これによって、テーブル本体１０に脚部２０が取り付けられる。
【００５１】
次に図２を参照して、テーブル本体１０の内部に植物構成体４０を収容させる。
なお本実施形態においては、底板１１の面積に合わせて予め裁断した植物構成体４０を用いる構成としてある。より具体的には、底板１１の面積に合わせて予め裁断した、４枚の矩形状の植物構成体４０を用いる構成としてある。
【００５２】
これによって、本考案の第１の実施形態に係る多目的テーブル１が形成される。
【００５３】
このような構成からなる本考案の第１の実施形態に係る多目的テーブル１は、以下の効果を奏する。
【００５４】
箱型に形成されるテーブル本体１０を備える構成とすることで、テーブル本体１０の内部に収容物（植物構成体４０）を収容可能なテーブルとすることができる。よってテーブルに新たな用途を付加することができると共に、オリジナル性に富んだ多目的テーブルとすることができる。
【００５５】
またテーブル本体１０と脚部２０とを、透明のアクリルキャスト板で構成することで、テーブル本体１０の内部に収容する植物構成体４０を、上方、下方、側方の何れの方向からでも視認可能なテーブルとすることができる。従ってオリジナル性に富んだ屋内用、屋外用のテーブルとして、多目的テーブル１を利用することができる。
【００５６】
またテーブル本体１０に植物構成体４０を収容することで、植物の栽培観察用テーブルとして、またインテリア用テーブルとして、多目的テーブル１を利用することができる。
【００５７】
更に、テーブル本体１０に収容した植物構成体４０が、テーブル本体１０から落下することを効果的に防止することができ、安全、安心な多目的テーブル１とすることできる。
【００５８】
また例えば、多目的テーブル１に接近し、底板１１と同じ位の高さから多目的テーブル１を視認した場合においては、図７に示すように、地上より上の葉４２ａ、茎４２ｂの生育状態を間近で視認し易いことに加えて、地中における根４２ｃの張り具合、茎４２ｂの伸び具合を、あたかも土の中に潜り込んで視認しているかのような状態で観察することができる。よって今まで見ることのできなかった植物の地中での自然な生育状態を眼の前で観察することができるテーブルとして利用することができる。
特に本実施形態に係る多目的テーブル１を、幼稚園、保育園、こども園等の園庭や小学校の校庭に設置した場合においては、園児や生徒が植物の生態を間近で観察可能な観察用テーブルとして利用することができる。また地上の植物４２に止まった昆虫を目線の高さで間近で観察することもでき、園児や生徒の好奇心をくすぶると共に、自然の営みに興味を持つきっかけを作ることが可能なテーブルとして、多目的テーブル１を利用することができる。
【００５９】
更に植物４２として野芝を用いる構成とすることで、植物４２に気兼ねなく触れることができると共に、植物４２の上に、従来のテーブルと同様、種々の物品を載置させることも可能となる。特に、多目的テーブル１を幼稚園、保育園、こども園等の園庭に設置した場合においては、野芝の上におもちゃ等を置いて園児が遊ぶことや、野芝の上に絵本を載せて教諭が園児に読み聞かせること等を行うことができる。よって新たな遊び場所や教育空間を提供することが可能なテーブルとして、多目的テーブル１を利用することができる。
【００６０】
また脚部２０を細長い直方体状部材で構成すると共に、上面２１がテーブル本体１０の底板１１の下面１１ｄに当接し、且つ隣接する一対の側面２２が、隣接するテーブル本体１０の側板１２の一対の内面１２ａに、それぞれ当接した状態で、脚部２０を側板１２に固定する構成とすることで、脚部２０の位置決めが容易であると共に、安定性のある多目的テーブル１とすることができる。
【００６１】
またテーブル本体１０を、略矩形状の底板１１と、底板１１の周囲に沿って立設される側板１２とから構成すると共に、底板１１の上下両方向に起立した状態で側面１２を固定する構成とすることで、底板１１の下方に潜りこむことが可能な小空間を多目的テーブル１に形成することができる。よって特に、多目的テーブル１を幼稚園、保育園、こども園等の園庭や小学校の校庭に設置すれば、園児や生徒が多目的テーブル１の下方に潜り込んで土中の様子を観察することができ、園児や生徒にあたかも秘密基地のような遊び場を提供することが可能なテーブルとして、多目的テーブル１を利用することができる。
【００６２】
また底板１１の下方に起立した側板１２を把持部として利用することができ、容易に持ち運びが可能な多目的テーブル１とすることができる。
【００６３】
また底板１１に、複数の水抜き用貫通孔１１ａと、複数の水抜き用切欠き部１１ｂとを設ける構成とすることで、テーブル本体１０に植物構成体４０を収容する構成であっても、植物構成体４０に与える水を効果的に排出可能な多目的テーブル１とすることができる。よって余分な水が溜まることを効果的に防止することができ、衛生的なテーブルとすることができる。
【００６４】
また植物成体４０を、ヤシガラマット４１と、野芝４２と、土４３とで構成することで、テーブル本体１０に植物構成体４０を収容する構成であっても、通気性、排水性に富んだテーブルとすることができ、衛生的なテーブルとすることができる。また植物の栽培を容易に行うことが可能な多目的テーブル１とすることができる。
【００６５】
また植物構成体４０を、底板１１の面積に合わせて予め裁断した、４枚の矩形状の植物構成体４０を用いる構成とすることで、テーブル本体１０に迅速且つ容易に収容可能な植物構成体４０とすることができる。
【００６６】
また底板１１と側板１２との間と、隣接する側板１２の間に透明のコーキング材を施す構成とすることで、美感を損なうことなく、止水性に優れた多目的テーブル１とすることができる。
【００６７】
次に図８、図９を参照して、本考案の第１の実施形態に係る多目的テーブル１の変形例１〜変形例４を説明する。
本変形例１〜変形例４は、既述した多目的テーブル１に対して、底板１１の構成のみを変形させたものである。
よって既述した多目的テーブル１と同一部材、同一構成のものには同一番号を付し、以下の説明は省略するものとする。
また図８、図９においては、説明の便宜上、脚部２０、植物構成体４０は図示せず、テーブル本体１０のみを図示するものとする。
【００６８】
まず図８（ａ）を参照して、本変形例１は、底板１１に土落とし用の土落とし用貫通孔１１ｅを設ける構成としたものである。
本変形例１においては、土落とし用貫通孔１１ｅとして、三角形と四角形の形状を用いる構成としてある。勿論、土落とし用貫通孔１１ｅの形状は本変形例のものに限るものではなく、適宜変更可能である。
また土落とし用貫通孔１１ｅの大きさは、２０ｃｍ２〜５０ｃｍ２位とすることが望ましい。
なお、この土落とし用貫通孔１１ｅは、底板１１に打ち抜き加工等を施すことで形成することができる。
このような構成とすることで、特に幼稚園、保育園、こども園等の園庭や小学校の校庭に多目的テーブルを設置する場合に、園児や生徒が土落とし用貫通孔１１ｅから、テーブル本体１０に収容されるヤシガラ４１や土４３を掻き落とすことが可能となり、園児や生徒の好奇心を一段とくすぶることが可能な多目的テーブル１とすることができる。勿論、土落とし用貫通孔１１ｅを、新たな排水口としても利用することができ、余分な水を一段と排水することができる。
【００６９】
次に図８（ｂ）を参照して、本変形例２は、底板１１の中央部に顔や手を挿入可能な挿入用貫通孔１１ｆを設けると共に、挿入用貫通孔１１ｆの外周から垂直に起立する起立板１３を設ける構成としたものである。
本変形例２においては、挿入用貫通孔１１ｆを円形とする構成としてある。また起立板１３として、透明のアクリルキャスト板を用いる構成としてある。勿論、挿入用貫通孔１１ｆは円形に限るものではなく、如何なる形状であってもよい。また起立板１３は透明のアクリルキャスト板に限るものではなく、半透明のアクリルキャスト板を用いる構成としてもよい。
【００７０】
なお、挿入用貫通孔１１ｆの大きさは、多目的テーブルの利用者が少なくとも頭を挿入可能な大きさとすることが望ましい。
また起立板１３の高さは、底板１１の上面１１ｇからテーブル本体１０の側板１２の上面１２ｃまでの長さであることが望ましい。また起立板１３の厚みは、側板１２と同様の厚みとすることが望ましい。
このような構成とすることで、利用者が底板１１に顔や手を挿入することが可能となり、一段と好奇心をくすぶることが可能な多目的テーブル１とすることができる。
【００７１】
次に図９（ａ）を参照して、本変形例３は、底板１１の所定位置に、底板１１の上面１１ｇから上方へ垂直に起立する矩形状の隔壁板１４を設ける構成とするものである。
なお本実施形態においては、隔壁板１４として、透明のアクリルキャスト板を用いる構成としてある。勿論、隔壁板１４は、透明のアクリルキャスト板に限るものではなく、半透明のアクリルキャスト板を用いる構成としてもよい。
なお隔壁板１４の厚みは、側板１２と同様の厚みとすることが望ましい。
【００７２】
また本変形例３においては、テーブル本体１０の内部が、完全に２つの空間に分割されるように、一方の側板１２から他方の側板１２まで、隔壁板１４を設ける構成としてある。勿論、このような構成に限るものではなく、例えば一方の側板１２を起点として、他方の側板１２に至る途中位置までに隔壁板１４を設ける構成であってもよい。また側板１２を起点とせず、側板１２から距離を明けた位置に隔壁板１４を設ける構成としてもよい。
【００７３】
なお、この隔壁板１４には、所定位置（側板１２への固定位置）にねじ孔（図示しない）を設けてあり、固定具３０を介して側板１２に固定する構成としてある。
【００７４】
このように隔壁板１４を設ける構成とすることで、テーブル本体１０の内部を複数の空間に分けることが可能となる。よってテーブル本体１０の内部に収容する収容物を複数種類の収容物に分けることが可能となり、一段とオリジナル性に富んだ多目的テーブルとすることができる。
【００７５】
次に図９（ｂ）を参照して、本変形例４は、底板１１を傾斜させて設ける構成とするものである。
より具体的には、底板１１の短手方向の何れか一方側を、他方側よりも低く（若しくは高く）なるように、底板１１と側板１２とを固定具３０を介して固定する構成としてある。
このような構成とすることで、植物構成体４０に水やりを行った際に、水の流れを生み出すことができ、本体部１０からの排水を一段と効率的に行うことが可能となる。
よって配水性に優れ、衛生的な多目的テーブルとすることができる。
なお底板１１の傾斜角度は、１０度〜３０度程度であることが望ましい。
【００７６】
次に図１０、図１１を参照して、本考案の第２の実施形態に係る多目的テーブル２を説明する。
【００７７】
本考案の第２の実施形態に係る多目的テーブル２は、テーブル本体と脚部とを着脱自在とすると共に、テーブル本体に天板を備える構成とするものである。
【００７８】
この多目的テーブル２は、固定具３０と、テーブル本体５０と、脚部６０と、天板７０と、人工土８０と、植物９０とで構成される。
なお、固定具３０については、既述した本考案の第１の実施形態に係る多目的テーブル１を構成する固定具３０と同一部材、同一機能を果たすものであることから、詳細な説明は省略するものとする。
【００７９】
前記テーブル本体５０は、既述したテーブル本体１０と同様に、多目的テーブルの基本的な骨格部分を構成するものである。本実施形態においては、図１１に示すように、開口状の箱型に形成する構成としてある。
このテーブル本体５０は、底板５１と側板５２とで構成される。
【００８０】
前記底板５１は、テーブル本体５０の基台となるものである。本実施形態においては、底板５１として略矩形状の透明のアクリルキャスト板を１枚用いる構成としてある。
なお底板５１の一辺の長さは、５００ｍｍ程度とすることが望ましい。
また底板５１の厚みは、５ｍｍ程度とすることが望ましい。
【００８１】
前記側板５２は、テーブル本体５０の側壁を構成するものである。本実施形態においては、側板５２として、矩形状の透明のアクリルキャスト板を４枚用いる構成としてある。
なお側板５２の一辺の長さは、５００ｍｍ程度とすることが望ましい。
また側板５２の厚みは、５ｍｍ程度とすることが望ましい。
【００８２】
また本実施形態においては、図１１に示すように、４枚の側板５２の上側端部に、外方に延出する延出部５２ａをそれぞれ備える構成としてある。この延出部５２ａは、テーブル本体５０の持ち手となると共に、テーブル本体５０を脚部６０に着脱自在に載置させるための載置部となるものである。本実施形態においては、延出部５２ａを矩形状の透明のアクリルキャスト板で形成する構成としてある。
【００８３】
また本実施形態においては、延出部５２ａにおける、延出方向と直交する方向の長さ（いわゆる延出部５２の全長）を、延出部５２ａを設ける側板５２の幅Ｄと同じ長さとする構成としてある。勿論、このような構成に限るものではなく、幅Ｄよりも短い長さとする構成としてもよい。
【００８４】
また延出部５２ａの外方への延出長さは、対向する一対の延出部５２ａにおいて、一方の延出部５２ａの端部（外縁）から他方の延出部５２ａの端部（外縁）までの長さが、後述する台座フレーム部６１の外径よりも長い長さであることが少なくとも必要である。つまり延出部５２ａの外方への延出長さは、台座フレーム部６１の大きさに合わせて適宜変更可能である。
なお延出部５２ａの厚みは、５ｍｍ程度とすることが望ましい。
【００８５】
また詳しくは図示していないが、これら底板５１と側板５２、側板５２と延出部５２ａは、それぞれ所定箇所において、固定具３０を介して相互に固定されている。
【００８６】
前記脚部６０は、テーブル本体５０を支持する支持脚である。この脚部６０は、図１１に示すように、台座フレーム部６１と、支持脚部６２と、クッション材６３とで構成される。
【００８７】
前記台座フレーム部６１は、テーブル本体５０を受け入れる開口部を形成すると共に、延出部５２ａを載置させるための支持枠となるものである。本実施形態においては、台座フレーム部６１として、細長い木製の角材を４本用いる構成としてある。
また本実施形態においては、図１０、図１１に簡略化して示すように、台座フレーム部６１の開口部が、底板５１の外形よりも大きくなるように、４本の細長い木製の角材を略矩形状に配置する構成としてある。
【００８８】
前記支持脚部６２は、台座フレーム部６１から下方に垂下し、台座フレーム部６１に受け入れたテーブル本体５０を支持する支持脚となるものである。本実施形態においては、支持脚部６２として、細長い木製の角材を４本用いる構成としてある。
【００８９】
なお本実施形態においては、図１１に示すように、台座フレーム部６１を構成する４本の角材が矩形状に配置されるように、支持脚部６２を構成する角材に台座フレーム部６１を構成する角材を固定させる構成としてある。
更に図１０、図１１に示すように、台座フレーム部６１に延出部５２ａを載置させた際に、支持脚部６２の上面６２ａが、延出部５２ａよりも上方となるように、支持脚部６２を構成する角材に台座フレーム部６１を構成する角材を固定させる構成としてある。
【００９０】
この台座フレーム部６１は、図示しない固定具を介して支持脚部６２に固定されている。なお、固定具としては、ねじ、釘等、台座フレーム部６１を支持脚部６２に固定できるものであれば如何なるものを用いてもよい。
また台座フレーム部６１と支持脚部６２を構成する角材は、５０ｍｍ角程度のものを用いることが望ましい。
また台座フレーム部６１を構成する角材の長さは、５００ｍｍ程度、支持脚部６２を構成する角材の長さは、６９０ｍｍ程度とすることが望ましい。
【００９１】
前記クッション材６３は、脚部６０に天板７０を載置させる際の緩衝材であると共に、天板７０が容易に移動しないように規制するすべり止め材となるものである。
本実施形態においては、クッション材として、支持脚部６２の上面６２ａと同一形状の薄いゴム板を用いる構成としてある。また接着剤（図示しない）を介して、クッション材６３を上面６２ａに貼り付ける構成としてある。
勿論、クッション材６３はゴム板に限るものではなく、脚部６０に天板７０を載置させる際の緩衝材となると共に、天板７０が容易に移動しないように規制するすべり止め材となるものであれば、如何なるものを用いてもよい。
【００９２】
前記天板７０は、各種物品を載置させる際や、各種作業や書き物をする際の土台となるものである。本実施形態においては、天板７０として、円形に形成される透明のガラス板を用いる構成としてある。
また本実施形態においては、ガラス板として、強化ガラス板を用いる構成としてある。勿論、ガラス板は、強化ガラス板に限るものではなく、他のガラス板を用いる構成としてもよい。但し、透明若しくは半透明のガラス板を用いることが必要である。
なお、天板７０は、直径が１０００ｍｍ、厚みが１００ｍｍ程度のものを用いることが望ましい。
【００９３】
前記人工土８０は、植物９０に水分を供給すると共に、植物９０の根を活着させるためのものである。本実施形態においては、人工土として、粘土を焼成し、顆粒状に形成した粘土焼成物を用いる構成としてある。このような粘土焼成物としては、例えば市販されているセラミス（登録商標）を用いることができる。
【００９４】
前記植物９０は、テーブル本体５０に収容される収容物である。植物としては、如何なるものを用いてもよい。しかしながら、栽培の容易さや鑑賞性等を考慮すれば、多肉性植物や観葉植物を用いることが望ましい。
【００９５】
このような構成からなる本考案の第２の実施形態に係る多目的テーブル２は、以下の効果を奏する。
【００９６】
箱型に形成されるテーブル本体５０を備える構成とすることで、テーブル本体５０の内部に収容物（植物９０）を収容可能なテーブルとすることができる。よってテーブルに新たな用途を付加することができると共に、オリジナル性に富んだ多目的テーブル２とすることができる。
【００９７】
またテーブル本体５０を透明のアクリルキャスト板で構成すると共に、テーブル本体５０内に植物９０を収容する構成とすることで、テーブル本体５０の内部に収容する植物９０を、上方、下方、側方の何れの方向からでも視認可能なテーブルとすることができる。従ってオリジナル性に富んだ植物栽培観察用テーブル、インテリア用テーブルとして、多目的テーブル２を利用することができる。
【００９８】
更にテーブル本体５０に収容した植物９０が、テーブル本体５０から落下することを効果的に防止することができ、安全、安心な多目的テーブル２とすることできる。
【００９９】
また台座フレーム部６１にテーブル本体５０を受け入れ、延出部５２ａを脚部６０の台座フレーム部６１に載置させる構成とすることで、テーブル本体５０と脚部６０とを着脱自在な構成とすることができる。
【０１００】
またテーブル本体５０内に植物９０を収容すると共に、人工土８０として、顆粒状の粘土焼成物からなる人工土を用いる構成とすることで、給水性、保水性に優れ、テーブル本体５０に水抜き用貫通孔や水抜き用切欠き部を設けない構成であっても、テーブル本体５０に余分な水が溜まることを効果的に防止することができる。よって植物９０の栽培管理が容易で衛生的な多目的テーブル２とすることができる。
【０１０１】
また天板７０を設ける構成とすることで、天板７０上に各種物品を載置させたり、天板７０上で各種作業や書き物をしたりと、通常のテーブルとして多目的テーブル２を利用することができる。
更に天板７０として透明の強化ガラスを用いる構成とすることで、強度に優れた天板とすることができる。また天板７０に各種物品を載置させた状態においても、テーブル本体５０内に収容する植物９０を視認することが可能となる。よってオリジナル性、ビジュアル性に富んだ多目的テーブル２とすることができる。
【０１０２】
なお本考案の第１の実施形態及び第２の実施形態においては、テーブル本体１０、５０と、脚部２０とを透明のアクリルキャスト板で形成する構成としたが、必ずしもこのような構成に限るものではない。例えば半透明のアクリルキャスト板等、その他の透明又は半透明の材質のものを用いる構成としてもよい。
【０１０３】
またねじ孔１１、水抜き用貫通孔１１ａ、水抜き用切欠き部１１ｂの数、形、形成位置、大きさ等は本考案の第１の実施形態のものに限るものではなく、適宜変更可能である。更に本考案の第１の実施形態において、水抜き用貫通孔１１ａと、水抜き用切欠き部１１ｂとは、必ずしも両方設ける必要はなく、何れか一方だけを設ける構成としてもよい。
【０１０４】
また本考案の第１の実施形態においては、テーブル本体１０に収容する植物４２として、野芝を用いる構成としたが、必ずしもこのような構成に限るものではなく、他の植物を用いる構成としてもよい。例えば姫高麗芝や、オオバコ、姫岩垂草等を用いることができる。
【０１０５】
また本考案の第１の実施形態においては、テーブル本体１０に収容する植物構成体４０として、ヤシガラマット４１と、植物４２と、土４３とで構成される植物構成体を用いる構成としたが、必ずしもこのような構成に限るものではない。
例えばヤシガラマット４１は用いず、土壌改良材入りの砂と、野芝などの植物４２とで構成する植物構成体を用いる構成としてもよい。この場合は、テーブル本体１０に土壌改良材入りの砂を敷き、その上に野芝等の植物４２を載置させることで構成することができる。更に上記の場合においては、土壌改良材入りの砂の上や中に、アリや、ダンゴ虫、ミミズ等の土中に住む生き物を放す構成とすることが望ましい。
このような構成とすることで、植物４２の生育が促進されると共に、土中に住む生き物の生き生きとした様子を間近で観察できる多目的テーブルとすることができる。
【０１０６】
なお、土壌改良材入りの砂を用いる場合は、水抜き用貫通孔１１ａや水抜き用切欠き部１１ｂから砂がこぼれ落ちないように、水抜き用貫通孔１１ａや水抜き用切欠き部１１ｂを覆う位置に、まずネット（いわゆる鉢底ネット）を敷き、その後、テーブル本体１０に砂を入れる構成とすることが必要である。
また土壌改良材としては、バーク堆肥と細粒パーライトとを用いることができる。なお、砂とバーク堆肥と細粒パーライトとの配合比は、５対３対２程度とすることが望ましい。
【０１０７】
また本考案の第１の実施形態においては、ベビーリーフやイチゴ等の野菜苗を収容し、野菜の栽培用テーブルとして多目的テーブルを利用するような構成としてもよい。但し、野菜苗を収容する場合は、既述したヤシガラマット４１は必要なく、テーブル本体１０に野菜と土４３を収容するような構成とすればよい。
このような構成とすることで、特に幼稚園、保育園、こども園等の園庭や小学校の校庭に多目的テーブル１を設置した場合に、園児や生徒が野菜苗のちょっとした変化を見つけ易くなり、そこから自然に対する感動を得たり、野菜苗への愛着を育んだりすることが可能となる。従って情操教育の一環として利用することが可能な多目的テーブルとすることができる。更に食育の一環としての役割も併せ持つ多目的テーブルとすることができる。
なお、野菜としては、トマトなどの背が高くなる野菜ではなく、ベビーリーフやイチゴ等、あまり背が高くならない品種を選択することが望ましい。
また土としては、例えばいわゆる園芸用培養土を用いることができる。
【０１０８】
また本考案の第１の実施形態に係る多目的テーブル１においては、多目的テーブル１と一緒に椅子を設置するような構成とすることが、より望ましい。例えば椅子に座った際に、目線の位置がテーブル本体１０の真横にくるような高さの椅子を設置することが望ましい。このような構成とすることで、特に幼稚園、保育園、こども園等の園庭や小学校の校庭に多目的テーブル１を設置した場合に、園児や生徒が植物の観察を容易に行うことができる多目的テーブル１とすることができる。
【０１０９】
また本考案の第２の実施形態においては、天板７０を透明の強化ガラス板で形成する構成としたが、必ずしもこのような構成に限るものではない。例えば半透明のガラス板等、その他の透明又は半透明の材質ものを用いる構成としてもよい。但し、使用上の安全性等を考慮すれば、ある程度の強度を備えたガラス板とすることが望ましい。また本考案の第１の実施形態において、テーブル本体１０の上に天板を載置させる構成としてもよい。このような構成とすることで、本考案の第１の実施形態に係る多目的テーブル１においても、天板上に各種物品を載置させたり、天板上で各種作業や書き物をしたりと、通常のテーブルとして多目的テーブル１を利用することができる。
【０１１０】
また本考案の第１の実施形態に係る多目的テーブル１と、第２の実施形態に係る多目的テーブル２において、テーブル本体の内面に、コケやカビの付着を防ぐ目的として、防コケ剤や防カビ剤を塗布する構成としてもよい。
このような構成とすることで、テーブル本体の内面にコケやカビが付着することを効果的に防止することができる多目的テーブルとすることができる。
なお、防コケ剤や防カビ剤としては、例えば三洋化成品株式会社製のエバーコンフォート（登録商標）等の液体の防コケ・防カビ剤を用いることができる。
【０１１１】
また本考案の第１の実施形態に係る多目的テーブル１と、第２の実施形態に係る多目的テーブル２において、テーブル本体の下に引き出しを設けるような構成としてもよい。このような構成とすることで、多目的テーブルの用途を一段と広げることが可能となる。
【産業上の利用可能性】
【０１１２】
本考案の多目的テーブルは、テーブルの分野において有用であり、産業上の利用可能性が大きい。
【符号の説明】
【０１１３】
１        多目的テーブル
２        多目的テーブル
１０      テーブル本体
１１      底板
１１ａ    水抜き用貫通孔
１１ｂ    水抜き用切欠き部
１１ｃ    ねじ孔
１１ｄ    下面
１１ｅ    土落とし用孔
１１ｆ    挿入用貫通孔
１１ｇ    上面
１２      側板
１２ａ    内面
１２ｂ    貫通孔
１２ｃ    上面
１３      起立板
１４      隔壁板
２０      脚部
２１      上面
２２      側面
２３      ねじ孔
３０      固定具
４０      植物構成体
４１      ヤシガラマット
４２      植物
４２ａ    葉
４２ｂ    茎
４２ｃ    根
４３      土
５０      テーブル本体
５１      底板
５２      側板
５２ａ    延出部
６０      脚部
６１      台座フレーム部
６２      支持脚部
６２ａ    上面
６３      クッション材
７０      天板
８０      人工土
９０      植物
Ｄ        幅
Ｓ        側板
Ｕ        上板
Ｗ        接着
【図１】
0003208295.tif 000003
【図２】
0003208295.tif 000004
【図３】
0003208295.tif 000005
【図４】
0003208295.tif 000006
【図５】
0003208295.tif 000007
【図６】
0003208295.tif 000008
【図７】
0003208295.tif 000009
【図８】
0003208295.tif 000010
【図９】
0003208295.tif 000011
【図１０】
0003208295.tif 000012
【図１１】
0003208295.tif 000013
【手続補正書】
【提出日】平成28年10月28日(2016.10.28)
【手続補正１】
【補正対象書類名】実用新案登録請求の範囲
【補正対象項目名】全文
【補正方法】変更
【補正の内容】
【実用新案登録請求の範囲】
【請求項１】
上方開口状の箱型に形成されるテーブル本体と、該テーブル本体を支持する脚部とを少なくとも備え、前記テーブル本体が、植物の栽培観察空間、物品の設置空間、生物の飼育観察空間となる多目的テーブルであって、前記テーブル本体が、透明若しくは半透明の板状部材で構成されることを特徴とする多目的テーブル。
【請求項２】
テーブル本体は、略矩形状の底板と、該底板の周囲に沿って立設される側板とから構成されると共に、前記側板は、前記底板の上下両方向に起立した状態で前記底板に固定されており、脚部は、細長い直方体状部材で構成されると共に、前記直方体状部材の上面が、前記底板の下面に当接し、且つ前記直方体状部材の隣接する一対の側面が、隣接する側板の一対の内面にそれぞれ当接した状態で、前記脚部が前記側板に固定されていることを特徴とする請求項１に記載の多目的テーブル。
【請求項３】
底板は、一乃至複数の水抜き用貫通孔と、一乃至複数の水抜き用切欠き部との少なくとも何れか一方を備えると共に、テーブル本体に、植物を植栽してなる植物構成体を収容してあることを特徴とする請求項２に記載の多目的テーブル。
【請求項４】
植物構成体は、ヤシの繊維からなるヤシガラマットと、該ヤシガラマットに植栽された植物とで少なくとも構成されることを特徴とする請求項３に記載の多目的テーブル。
【請求項５】
底板は、顔や手を挿入可能な挿入用貫通孔を備えると共に、前記挿入用貫通孔の外周から垂直に起立する起立板を備えることを特徴とする請求項２〜４の何れか１項に記載の多目的テーブル。
【請求項６】
テーブル本体は、矩形状の底板と、該底板の周囲に沿って立設される側板とから構成されると共に、少なくとも対向する一対の前記側板の上側端部に、外方に延出する延出部をそれぞれ備え、脚部は、枠状の台座フレーム部と、該台座フレーム部から下方に垂下する支持脚部とから構成され、前記台座フレーム部は、前記底板の外形よりも大きい開口部を備えると共に、前記延出部は、一方の延出部の端部から他方の延出部の端部までの長さが、前記台座フレーム部の外径よりも長いことを特徴とする請求項１に記載の多目的テーブル。
【請求項７】
テーブル本体に、植物と、顆粒状の粘土焼成物からなる人工土とを少なくとも収容してあることを特徴とする請求項６に記載の多目的テーブル。
【請求項８】
テーブル本体を構成する板状部材は、アクリルキャスト板であることを特徴とする請求項１〜７の何れか１項に記載の多目的テーブル。
【請求項９】
脚部は、透明若しくは半透明のアクリルキャスト板で構成されることを特徴とする請求項１〜８の何れか１項に記載の多目的テーブル。
【請求項１０】
透明若しくは半透明のガラス製の天板を着脱自在に備えることを特徴とする請求項１〜９の何れか１項に記載の多目的テーブル。
【手続補正２】
【補正対象書類名】明細書
【補正対象項目名】０００８
【補正方法】変更
【補正の内容】
【０００８】
また本考案の多目的テーブルは、上記第２の特徴に加えて、底板は、一乃至複数の水抜き用貫通孔と、一乃至複数の水抜き用切欠き部との少なくとも何れか一方を備えると共に、テーブル本体に、植物を植栽してなる植物構成体を収容してあることを第３の特徴としている。
【手続補正３】
【補正対象書類名】明細書
【補正対象項目名】００１０
【補正方法】変更
【補正の内容】
【００１０】
また本考案の多目的テーブルは、上記第２〜第４の何れか１つの特徴に加えて、底板は、顔や手を挿入可能な挿入用貫通孔を備えると共に、前記挿入用貫通孔の外周から垂直に起立する起立板を備えることを第５の特徴としている。
【手続補正４】
【補正対象書類名】明細書
【補正対象項目名】００１１
【補正方法】変更
【補正の内容】
【００１１】
また本考案の多目的テーブルは、上記第１の特徴に加えて、テーブル本体は、矩形状の底板と、該底板の周囲に沿って立設される側板とから構成されると共に、少なくとも対向する一対の前記側板の上側端部に、外方に延出する延出部をそれぞれ備え、脚部は、枠状の台座フレーム部と、該台座フレーム部から下方に垂下する支持脚部とから構成され、前記台座フレーム部は、前記底板の外形よりも大きい開口部を備えると共に、前記延出部は、一方の延出部の端部から他方の延出部の端部までの長さが、前記台座フレーム部の外径よりも長いことを第６の特徴としている。
【手続補正５】
【補正対象書類名】明細書
【補正対象項目名】００１８
【補正方法】変更
【補正の内容】
【００１８】
また請求項３に記載の多目的テーブルによれば、上記請求項２に記載の構成よる作用効果に加えて、底板は、一乃至複数の水抜き用貫通孔と、一乃至複数の水抜き用切欠き部との少なくとも何れか一方を備えると共に、テーブル本体に、植物を植栽してなる植物構成体を収容してあることから、植物の栽培観察用テーブルとして、またインテリア用テーブルとして、多目的テーブルを利用することができる。更にテーブル本体に余分な水が溜まることを効果的に防止することができ、衛生的な多目的テーブルとすることができる。
【手続補正６】
【補正対象書類名】明細書
【補正対象項目名】００２０
【補正方法】変更
【補正の内容】
【００２０】
また請求項５に記載の多目的テーブルによれば、上記請求項２〜４の何れか１項に記載の構成による作用効果に加えて、底板は、顔や手を挿入可能な挿入用貫通孔を備えると共に、前記挿入用貫通孔の外周から垂直に起立する起立板を備えることから、多目的テーブルの利用者が底板に顔や手を挿入することが可能となり、一段と好奇心をくすぶることが可能な多目的テーブルとすることができる。
【手続補正７】
【補正対象書類名】明細書
【補正対象項目名】００２１
【補正方法】変更
【補正の内容】
【００２１】
また請求項６に記載の多目的テーブルによれば、上記請求項１に記載の構成による作用効果に加えて、テーブル本体は、矩形状の底板と、該底板の周囲に沿って立設される側板とから構成されると共に、少なくとも対向する一対の前記側板の上側端部に、外方に延出する延出部をそれぞれ備え、脚部は、枠状の台座フレーム部と、該台座フレーム部から下方に垂下する支持脚部とから構成され、前記台座フレーム部は、前記底板の外形よりも大きい開口部を備えると共に、前記延出部は、一方の延出部の端部から他方の延出部の端部までの長さが、前記台座フレーム部の外径よりも長いことから、台座フレーム部の開口部内にテーブル本体を収容した状態で、延出部を台座フレーム部に載置させることができる。よってテーブル本体と脚部とを着脱自在な構成とすることができる。